(57)【特許請求の範囲】
【請求項１】
無線セルラー通信ネットワークにおいて、第１の基地局から第２の基地局へ第１の半二重端末のハンドオーバを実行しなければならないかを判断する方法であって、
各基地局はそれぞれのセルにおいて信号を転送し、
前記第１の半二重端末は、或る基地局によってハンドリングされているとき、前記第１の半二重端末をハンドリングする前記基地局の前記セルのアイドル期間と呼ばれる時間期間中に信号の転送及び受信を行わず、
前記方法は、前記第１の基地局によって実行されるステップであって、
−  前記第１の基地局の前記セルにおいて信号を転送するステップと、
−  前記第１の基地局によって転送された前記信号に応答して前記第１の半二重端末によって転送されたメッセージを受信するステップであって、前記メッセージは、前記第１の基地局によって転送された前記信号に関する品質測定値、及び前記第２の基地局によって転送された前記信号に関する少なくとも品質測定値に関連する情報を含む、メッセージを受信するステップと、
−  前記第２の基地局の前記セルの前記アイドル期間が前記第２の基地局の前記セルにおける前記第１の半二重端末のラウンドトリップ遅延に適合しているか否かを示すメッセージを受信するステップと、
−  前記第２の基地局の前記セルの前記アイドル期間の、前記第２の基地局の前記セルにおける前記第１の半二重端末の前記ラウンドトリップ遅延との適合性、及び、前記品質測定値に関連する前記情報に従って、前記第１の基地局から前記第２の基地局へ前記第１の半二重端末のハンドオーバを実行しなければならないかを判断するステップと、
を含むことを特徴とする、無線セルラー通信ネットワークにおいて、第１の基地局から第２の基地局へ第１の半二重端末のハンドオーバを実行しなければならないかを判断する方法。
【請求項２】
前記第２の基地局の前記セルの前記アイドル期間が前記第２の基地局の前記セルにおける前記第１の半二重端末の前記ラウンドトリップ遅延に適合しているか否かを示す前記メッセージは、前記第２の基地局又は前記第１の半二重端末から受信されることを特徴とする、請求項１に記載の方法。
【請求項３】
前記第１の半二重端末をハンドリングすることができる第２の基地局を識別するリストを前記第１の半二重端末へ転送するステップをさらに含むことを特徴とする、請求項２に記載の方法。
【請求項４】
前記第１の基地局によってハンドリングされている前記第１の半二重端末の識別子を、前記リストにおいて識別される各第２の基地局へ転送するステップをさらに含むことを特徴とする、請求項３に記載の方法。
【請求項５】
−  前記第２の基地局によってハンドリングされている第２の半二重端末の識別子を前記第２の基地局から受信するステップと、
−  前記第２の半二重端末からメッセージを受信するステップと、
−  前記第２の半二重端末から受信された前記メッセージの受信時刻に従って、前記第１の基地局が前記第２の半二重端末をハンドリングすることができるか否かを判断するステップと、
をさらに含むことを特徴とする、請求項１〜４のいずれか一項に記載の方法。
【請求項６】
前記第１の基地局が前記第２の半二重端末をハンドリングすることができるか否かを示すメッセージを前記第２の基地局へ転送するステップをさらに含むことを特徴とする、請求項５に記載の方法。
【請求項７】
前記第１の基地局が前記第２の半二重端末をハンドリングすることができるか否かを示すメッセージを前記第２の半二重端末へ転送するステップをさらに含むことを特徴とする、請求項５に記載の方法。
【請求項８】
無線セルラー通信ネットワークにおいて、第１の基地局から第２の基地局へ第１の半二重端末のハンドオーバを実行しなければならないかを判断することを可能にする方法であって、
各基地局はそれぞれのセルにおいて信号を転送し、
前記第１の半二重端末は、或る基地局によってハンドリングされているとき、前記第１の半二重端末をハンドリングする前記基地局の前記セルのアイドル期間と呼ばれる時間期間中に信号の転送及び受信を行わず、
前記方法は、前記第１の半二重端末によって実行されるステップであって、
−  前記第１の基地局及び前記第２の基地局から信号を受信するステップと、
−  前記第２の基地局へ信号を転送するステップと、
−  前記第２の基地局の前記セルの前記アイドル期間が前記第２の基地局の前記セルにおける前記第１の半二重端末のラウンドトリップ遅延に適合しているか否かを示すメッセージを前記第２の基地局から受信するか否かに従って、前記第２の基地局の前記セルの前記アイドル期間が前記第２の基地局の前記セルにおける前記第１の半二重端末の前記ラウンドトリップ遅延に適合しているか否かを判断するステップと、
−  前記第１の基地局へメッセージを転送するステップであって、前記メッセージは、前記第２の基地局の前記セルの前記アイドル期間が前記第２の基地局の前記セルにおける前記第１の半二重端末の前記ラウンドトリップ遅延に適合しているか否かを示す、メッセージを転送するステップと、
を含むことを特徴とする、無線セルラー通信ネットワークにおいて、第１の基地局から第２の基地局へ第１の半二重端末のハンドオーバを実行しなければならないかを判断することを可能にする方法。
【請求項９】
−  前記第１の半二重端末をハンドリングすることができる第２の基地局を識別するリストを前記第１の基地局から受信するステップと、
−  各第２の基地局へ信号を転送するステップと、
をさらに含むことを特徴とする、請求項８に記載の方法。
【請求項１０】
無線セルラー通信ネットワークにおいて、第１の基地局から第２の基地局へ第１の半二重端末のハンドオーバを実行しなければならないかを判断するためのデバイスであって、
各基地局はぞれぞれのセルにおいて信号を転送し、
前記第１の半二重端末は、或る基地局によってハンドリングされているとき、前記第１の半二重端末をハンドリングする前記基地局の前記セルのアイドル期間と呼ばれる時間期間中に信号の転送及び受信を行わず、
前記デバイスは前記第１の基地局に含まれ、
−  前記第１の基地局の前記セルにおいて信号を転送する手段と、
−  前記第１の基地局によって転送された前記信号に応答して前記第１の半二重端末によって転送されたメッセージを受信する手段であって、前記メッセージは、前記第１の基地局によって転送された前記信号に関する品質測定値、及び前記第２の基地局によって転送された前記信号に関する少なくとも品質測定値に関連する情報を含む、メッセージ受信する手段と、
−  前記第２の基地局の前記セルの前記アイドル期間が前記第２の基地局の前記セルにおける前記第１の半二重端末のラウンドトリップ遅延に適合しているか否かを示すメッセージを受信する手段と、
−  前記第２の基地局の前記セルの前記アイドル期間の、前記第２の基地局の前記セルにおける前記第１の半二重端末の前記ラウンドトリップ遅延との適合性、及び、前記品質測定値に関連する前記情報に従って、前記第１の基地局から前記第２の基地局へ前記第１の半二重端末のハンドオーバを実行しなければならないかを判断する手段と、
を備えることを特徴とする、無線セルラー通信ネットワークにおいて、第１の基地局から第２の基地局へ第１の半二重端末のハンドオーバを実行しなければならないかを判断するためのデバイス。
【請求項１１】
無線セルラー通信ネットワークにおいて、第１の基地局から第２の基地局へ第１の半二重端末のハンドオーバを実行しなければならないかを判断することを可能にするためのデバイスであって、
各基地局はそれぞれのセルにおいて信号を転送し、
前記第１の半二重端末は、或る基地局によってハンドリングされているとき、前記第１の半二重端末をハンドリングする前記基地局の前記セルのアイドル期間と呼ばれる時間期間中に信号の転送及び受信を行わず、
前記デバイスは前記第１の半二重端末に含まれ、
−  前記第１の基地局及び前記第２の基地局から信号を受信する手段と、
−  前記第２の基地局へ信号を転送する手段と、
−  前記第２の基地局の前記セルの前記アイドル期間が前記第２の基地局の前記セルにおける前記第１の半二重端末のラウンドトリップ遅延に適合しているか否かを示すメッセージを前記第２の基地局から受信するか否かに従って、前記第２の基地局の前記セルの前記アイドル期間が前記第２の基地局の前記セルにおける前記第１の半二重端末の前記ラウンドトリップ遅延に適合しているか否かを判断する手段と、
−  前記第１の基地局へメッセージを転送する手段であって、前記メッセージは、前記第２の基地局の前記セルの前記アイドル期間が前記第２の基地局の前記セルにおける前記第１の半二重端末の前記ラウンドトリップ遅延に適合しているか否かを示す、メッセージを転送する手段と、
を備えることを特徴とする、無線セルラー通信ネットワークにおいて、第１の基地局から第２の基地局へ第１の半二重端末のハンドオーバを実行しなければならないかを判断することを可能にするためのデバイス。
【請求項１２】
プログラマブルデバイス内に直接ロード可能とすることができるコンピュータプログラムであって、前記コンピュータプログラムがプログラマブルデバイス上で実行される時に請求項１〜７のいずれか一項による方法のステップを実施するための命令又はコード部分を含む、コンピュータプログラム。
【請求項１３】
プログラマブルデバイス内に直接ロード可能とすることができるコンピュータプログラムであって、前記コンピュータプログラムがプログラマブルデバイス上で実行される時に請求項８又は９による方法のステップを実施するための命令又はコード部分を含む、コンピュータプログラム。
【発明の詳細な説明】
【技術分野】
【０００１】
本発明は、包括的には、無線セルラー通信ネットワークにおいて、端末についてハンドオーバを実行しなければならないかを判断するための方法及びデバイスに関する。
【背景技術】
【０００２】
最先端の無線セルラー通信ネットワークでは、各端末には、理論的には通信をハンドリングすることができる基地局の候補セットが定期的に割り当てられる。これらの候補基地局は、たとえば、端末を現在ハンドリングしている基地局の周囲の基地局とすることができる。各端末は、種々の候補基地局の候補測定チャネルの信号の品質を定期的に測定するか、又は要求に応じて、すなわち特定のイベントの後に測定する。その後、これらの測定値は、端末によって、この端末を現在ハンドリングしている基地局に報告され、基地局は、ハンドオーバ手順を開始するべきか否かを判定することができる。
【０００３】
代替的には、基地局の候補セットは端末には割り当てられない。各端末は、受信される測定チャネルの信号が十分な品質を有する基地局との間で測定を行う。次に、端末は、この端末を現在ハンドリングしている基地局に測定値を報告し、基地局は、ハンドオーバ手順を開始するか否か、又は、端末によって要求されたハンドオーバ手順を有効にするか否かを判定することができる。
【０００４】
このような最先端のハンドオーバは、全二重端末については有効であるが、半二重端末についてはいくつかの問題につながるおそれがある。
【０００５】
全二重端末は、無線信号の送信及び受信を同時に行うことができる端末である。
【０００６】
半二重端末は、無線信号の送信及び受信を同時に行うことができない端末である。たとえば、端末は時分割複信（ＴＤＤ）モードで動作し、送信及び受信は同じ周波数帯域上であるが異なる時間期間に行われる。端末は周波数分割複信（ＦＤＤ）モードで動作することもでき、送信及び受信は異なる周波数帯域上で異なる時間期間に行われる。
【０００７】
基地局が時刻ｔｅに半二重端末へシンボルを送信するとき、これらのシンボルは、基地局からの距離ｄに位置する端末によって、ｔｅ＋ＲＴＤ（ｄ）／２に等しい時刻に受信される。ここで、ＲＴＤ（ｄ）は、この端末のラウンドトリップ遅延（Round Trip Delay）である。これらのシンボルは端末によって処理され、その後、端末もアップリンクチャネルを介して基地局へシンボルを送信することができる。端末ＴＥは、アップリンクチャネルを介してシンボルを送信する前に、ハードウェアオペレーション及びソフトウェアオペレーションの継続時間を考慮するために或る期間待たなければならない。この或る期間は、受信送信切り換え時間（Receive Transmit Switch time）又は単にスイッチング時間と言われ、ＲＴＳと呼称される。たとえば、この遅延ＲＴＳは、端末のハードウェア機器が受信モードと送信モードとの間を切り換えるのに必要とする時間、及び、基地局のハードウェア機器が送信モードと受信モードとの間を切り換えるのに必要とする時間の最大値である。したがって、アップリンクチャネルを介して送信されたシンボルは、ｔｅ＋ＲＴＤ（ｄ）＋ＲＴＳ＋ＤDLに等しい時刻ｔｒより前には基地局ＢＴＳで受信することができない。ＤDLは、端末がダウンリンクチャネルで受信することができるシンボルの全継続時間である。
【０００８】
例として、第３世代パートナーシッププロジェクト長期的発展型（３ＧＰＰ／ＬＴＥ）と互換性のある１０ｋｍのＦＤＤセル半径を有する基地局を考える場合、基地局がそのセル内のいずれの場所に位置する端末もハンドリングすることができるようにするには、基地局側及び端末側の双方、又は、端末側のみのいずれかで、２シンボルの継続時間に対応するアイドル期間継続時間を作り出す必要がある。２シンボルの継続時間に対応するアイドル期間継続時間によって、基地局は、基地局から最大１９．６ｋｍまでの距離に位置する半二重端末をハンドリングすることが可能になる。
【０００９】
１シンボルの継続時間に対応するアイドル期間継続時間では、基地局は、基地局から最大８．３ｋｍまでの距離に位置する半二重端末しかハンドリングすることができない。このようなアイドル期間継続時間により、たとえ測定チャネルの信号の品質が十分高くても、基地局は、基地局から８．３ｋｍよりも大きい距離に位置する半二重端末をハンドリングすることができないのに対して、全二重端末はハンドリングすることができる。
【００１０】
したがって、通信中、ハンドオーバ手順が基地局に対して要求される場合があるが、基地局と端末との間のラウンドトリップ遅延が基地局のアイドル期間に適合していないと、基地局は半二重端末をハンドリングすることができない。
【先行技術文献】
【特許文献】
【００１１】
【特許文献１】欧州特許出願公開第１７４６７４３号
【発明の概要】
【発明が解決しようとする課題】
【００１２】
本発明は、ターゲットの基地局のアイドル期間要件をうまく処理することができない半二重端末についてハンドオーバが実行されることを回避することを目的とする。
【課題を解決するための手段】
【００１３】
このため、本発明は、無線セルラー通信ネットワークにおいて、第１の基地局から第２の基地局へ第１の半二重端末のハンドオーバを実行しなければならないかを判断する方法に関する。各基地局はそれぞれのセルにおいて信号を転送し、第１の半二重端末は、或る基地局によってハンドリングされているとき、第１の半二重端末をハンドリングする基地局のセルのアイドル期間と呼ばれる時間期間中に信号の転送及び受信を行わず、当該方法は、第１の基地局によって実行されるステップであって、
−  第１の基地局のセルにおいて信号を転送するステップと、
−  第１の基地局によって転送された信号に応答して第１の半二重端末によって転送されたメッセージを受信するステップであって、当該メッセージは、第１の基地局によって転送された信号に関する品質測定値、及び第２の基地局によって転送された信号に関する少なくとも品質測定値に関連する情報を含む、メッセージを受信するステップと、
−  第２の基地局のセルのアイドル期間が第２の基地局のセルにおける第１の半二重端末のラウンドトリップ遅延に適合しているか否かを示すメッセージを受信するステップと、
−  第２の基地局のセルのアイドル期間の、第２の基地局のセルにおける第１の半二重端末のラウンドトリップ遅延との適合性、及び、品質測定値に関連する情報に従って、第１の基地局から第２の基地局へ第１の半二重端末のハンドオーバを実行しなければならないかを判断するステップと、
を含むことを特徴とする。
【００１４】
また、本発明は、無線セルラー通信ネットワークにおいて、第１の基地局から第２の基地局へ第１の半二重端末のハンドオーバを実行しなければならないかを判断するためのデバイスにも関する。各基地局はそれぞれのセルにおいて信号を転送し、第１の半二重端末は、或る基地局によってハンドリングされているとき、第１の半二重端末をハンドリングする基地局のセルのアイドル期間と呼ばれる時間期間中に信号の転送及び受信を行わず、当該デバイスは第１の基地局に含まれ、
−  第１の基地局のセルにおいて信号を転送する手段と、
−  第１の基地局によって転送された信号に応答して第１の半二重端末によって転送されたメッセージを受信する手段であって、当該メッセージは、第１の基地局によって転送された信号に関する品質測定値、及び第２の基地局によって転送された信号に関する少なくとも品質測定値に関連する情報を含む、メッセージを受信する手段と、
−  第２の基地局のセルのアイドル期間が第２の基地局のセルにおける第１の半二重端末のラウンドトリップ遅延に適合しているか否かを示すメッセージを受信する手段と、
−  第２の基地局のセルのアイドル期間の、第２の基地局のセルにおける第１の半二重端末のラウンドトリップ遅延との適合性、及び、品質測定値に関連する情報に従って、第１の基地局から第２の基地局へ第１の半二重端末のハンドオーバを実行しなければならないかを判断する手段と、
を備えることを特徴とする。
【００１５】
したがって、第１の半二重端末のラウンドトリップ遅延の、第２の基地局のセルのアイドル期間との適合性は、ハンドオーバ手順を開始する前にチェックされ、ハンドオーバ手順はより安全なものとなる。
【００１６】
特定の特徴によれば、第２の基地局のセルのアイドル期間が第２の基地局のセルにおける第１の半二重端末のラウンドトリップ遅延に適合しているか否かを示すメッセージは、第２の基地局又は第１の半二重端末から受信される。
【００１７】
特定の特徴によれば、第１の基地局は、第１の半二重端末をハンドリングすることができる第２の基地局を識別するリストを第１の半二重端末へ転送する。
【００１８】
したがって、基地局によって受信される品質測定値の数は制限され、多くとも、リストにおいて識別される基地局によって転送された信号に関する品質測定値を含む。したがって、アップリンクシグナリングが削減される。その上、第２の基地局によって転送された十分な品質を有する信号に関する品質測定値を受信する機会が最大化される。
【００１９】
特定の特徴によれば、第１の基地局は、第１の基地局によってハンドリングされている第１の半二重端末の識別子を、リストにおいて識別される各第２の基地局へ転送する。
【００２０】
したがって、各第２の基地局における処理資源が節約される。
【００２１】
特定の特徴によれば、第１の基地局は、
−  第２の基地局によってハンドリングされている第２の半二重端末の識別子を第２の基地局から受信し、
−  第２の半二重端末からメッセージを受信し、
−  第２の半二重端末から受信されたメッセージの受信時刻に従って、第１の基地局が第２の半二重端末をハンドリングすることができるか否かを判断する。
【００２２】
したがって、第１の基地局のセルのアイドル期間の、第２の半二重端末のラウンドトリップ遅延との適合性は、チェックが容易となる。
【００２３】
特定の特徴によれば、第１の基地局は、第１の基地局が第２の半二重端末をハンドリングすることができるか否かを示すメッセージを第２の基地局へ転送する。
【００２４】
したがって、ハンドオーバ手順は事前にセキュアにされる。
【００２５】
特定の特徴によれば、第１の基地局は、第１の基地局が第２の半二重端末をハンドリングすることができるか否かを示すメッセージを第２の半二重端末へ転送する。
【００２６】
したがって、ハンドオーバ手順は高速化される。
【００２７】
また、本発明は、無線セルラー通信ネットワークにおいて、第１の基地局から第２の基地局へ第１の半二重端末のハンドオーバを実行しなければならないかを判断することを可能にする方法にも関する。各基地局はそれぞれのセルにおいて信号を転送し、第１の半二重端末は、或る基地局によってハンドリングされているとき、第１の半二重端末をハンドリングする基地局のセルのアイドル期間と呼ばれる時間期間中に信号の転送及び受信を行わず、当該方法は、第１の半二重端末によって実行されるステップであって、
−  第１の基地局及び第２の基地局から信号を受信するステップと、
−  第２の基地局へ信号を転送するステップと、
−  第２の基地局のセルのアイドル期間が第２の基地局のセルにおける第１の半二重端末のラウンドトリップ遅延に適合しているか否かを示すメッセージを第２の基地局から受信するか否かに従って、第２の基地局のセルのアイドル期間が第２の基地局のセルにおける第１の半二重端末のラウンドトリップ遅延に適合しているか否かを判断するステップと、
−  第１の基地局へメッセージを転送するステップであって、当該メッセージは、第２の基地局のセルのアイドル期間が第２の基地局のセルにおける第１の半二重端末のラウンドトリップ遅延に適合しているか否かを示す、メッセージを転送するステップと、
を含むことを特徴とする。
【００２８】
また、本発明は、無線セルラー通信ネットワークにおいて、第１の基地局から第２の基地局へ第１の半二重端末のハンドオーバを実行しなければならないかを判断することを可能にするためのデバイスにも関する。基地局はそれぞれのセルにおいて信号を転送し、第１の半二重端末は、或る基地局によってハンドリングされているとき、第１の半二重端末をハンドリングする基地局のセルのアイドル期間と呼ばれる時間期間中に信号の転送及び受信を行わず、当該デバイスは第１の半二重端末に含まれ、
−  第１の基地局及び第２の基地局から信号を受信する手段と、
−  第２の基地局へ信号を転送する手段と、
−  第２の基地局のセルのアイドル期間が第２の基地局のセルにおける第１の半二重端末のラウンドトリップ遅延に適合しているか否かを示すメッセージを第２の基地局から受信するか否かに従って、第２の基地局のセルのアイドル期間が第２の基地局のセルにおける第１の半二重端末のラウンドトリップ遅延に適合しているか否かを判断する手段と、
−  第１の基地局へメッセージを転送する手段であって、当該メッセージは、第２の基地局のセルのアイドル期間が第２の基地局のセルにおける第１の半二重端末のラウンドトリップ遅延に適合しているか否かを示す、メッセージを転送する手段と、
を備えることを特徴とする。
【００２９】
したがって、第１の基地局は、第２の基地局が第１の半二重端末をハンドリングすることができるか否かをハンドオーバ要求前に知っているので、ハンドオーバ手順はセキュアにされる。
【００３０】
特定の特徴によれば、第１の半二重端末は、第１の半二重端末をハンドリングすることができる第２の基地局を識別するリストを第１の基地局から受信し、各第２の基地局へ信号を転送する。
【００３１】
したがって、半二重端末のプロセスは、第１の半二重端末をハンドリングする可能性のある限られた数の第２の基地局へ信号を転送することによって、自身の電力消費を最適化する。
【００３２】
さらに別の態様によれば、本発明は、プログラマブルデバイス内に直接ロード可能とすることができるコンピュータプログラムに関する。当該コンピュータプログラムは、プログラマブルデバイス上で実行される時に本発明による方法のステップを実施するための命令又はコード部分を含む。
【００３３】
このコンピュータプログラムに関する特徴及び利点は、本発明による方法及びデバイスに関連して上述したものと同じであるので、ここでは繰り返さないことにする。
【００３４】
本発明の特徴は、一例の実施形態の以下の説明を読むことによってより明確になろう。当該説明は、添付図面に関して作成されている。
【図面の簡単な説明】
【００３５】
【図１】本発明が実施される無線セルラー通信ネットワークのアーキテクチャを表す図である。
【図２ａ】アップリンクチャネルが同期し、基地局及び半二重端末がセルのアイドル期間中に信号の転送及び受信を行わない場合のアイドル期間を示すクロノグラムである。
【図２ｂ】アップリンクチャネルが同期し、半二重端末がセルのアイドル期間中に信号の転送及び受信を行わない場合のアイドル期間を示すクロノグラムである。
【図３】アップリンクチャネルが非同期であり、無線通信ネットワークが時分割複信方式を使用し、セルに位置する半二重端末及び基地局がアイドル期間中に信号の転送及び受信を行わない場合のアイドル期間を示すクロノグラムである。
【図４】本発明による基地局のアーキテクチャを表す図である。
【図５】本発明による無線通信システムの半二重端末のアーキテクチャを表す図である。
【図６】本発明による、基地局が端末をハンドリングすることができるか否かを判断するために基地局によって実行されるアルゴリズムの一例を示す図である。
【図７】本発明による、端末についてハンドオーバを実行しなければならないかを判断するために基地局によって実行されるアルゴリズムの一例を示す図である。
【図８】本発明による、端末をハンドリングすることができない基地局ＢＳのリストを求めるために端末によって実行されるアルゴリズムの一例を示す図である。
【発明を実施するための形態】
【００３６】
図１は、本発明が実施される無線セルラー通信ネットワークのアーキテクチャを表す図である。
【００３７】
無線セルラー通信ネットワークは、時分割複信方式（ＴＤＤ）又は半二重周波数分割複信方式を使用することができる。
【００３８】
ＴＤＤ方式では、アップリンクチャネル及びダウンリンクチャネルで転送される信号は、同じ周波数帯域において異なるサブフレームで複信される。このサブフレームは、タイムスロットとも呼ばれる。
【００３９】
全二重周波数分割複信方式では、アップリンクチャネル及びダウンリンクチャネルで転送される信号は、異なる周波数帯域において同じサブフレームで複信される。このサブフレームは、タイムスロットとも呼ばれる。
【００４０】
半二重端末側からの半二重ＦＤＤ方式では、アップリンクチャネル及びダウンリンクチャネルで転送される信号は、異なる周波数帯域において異なるサブフレームで複信される。このサブフレームは、タイムスロットとも呼ばれる。このような場合、基地局は、全二重周波数分割複信方式を使用するのと共に、各半二重ＦＤＤ端末のタイムスロットを適切に順序付けることによっていくつかの半二重ＦＤＤ端末と同時に通信することができる場合があることに留意されたい。
【００４１】
基地局ＢＳが端末ＴＥへシンボルを転送するとき、データ、信号、又はメッセージが、ダウンリンクチャネルを通じて転送される。
【００４２】
端末ＴＥが基地局ＢＳへシンボルを転送するとき、信号、メッセージ、又はデータが、アップリンクチャネルを通じて転送される。
【００４３】
図１の無線セルラー通信ネットワークでは、基地局ＢＳ２のセル１５2に位置する端末ＴＥは、基地局ＢＳ１のセル１５1に移動中である。
【００４４】
単純にするために、図１には２つの基地局ＢＳしか示されていないが、実際には、無線セルラー通信ネットワークは、複数の基地局ＢＳから成る。
【００４５】
基地局ＢＳ１のセル１５1は、基地局ＢＳ１によって転送される信号、たとえば基地局ＢＳ１の測定チャネルで転送される信号の電力強度が、セル１５1に位置する端末ＴＥによって所定の値よりも上のレベルで受信されるエリアである。
【００４６】
全二重端末ＴＥが基地局ＢＳ１のセル１５1に位置しているとき、基地局ＢＳ１は全二重端末ＴＥをハンドリングすることができる。全二重端末ＴＥは、基地局ＢＳ１を通じて、リモートの通信デバイスとの通信を確立又は受信することができる。セル１５1は規則正しい形状を有していない。これは、主として、基地局ＢＳ１との見通し線（line of sight）にある特定のロケーション、又は障害物に起因する。
【００４７】
基地局ＢＳ１のエリアＲ１は、Ｒ１に位置する各端末ＴＥについて、基地局ＢＳ１とその端末ＴＥとの間のラウンドトリップ遅延、並びに、受信モードと送信モードとの間の切り換え及び／又は送信モードと受信モードとの間の切り換えの合計が、セル１５1のアイドル期間以下であるエリアである。
【００４８】
換言すれば、半二重又は全二重の端末ＴＥが基地局ＢＳ１のエリアＲ１に位置するとき、基地局ＢＳ１は端末ＴＥをハンドリングすることができ、端末ＴＥは基地局ＢＳ１を通じてリモートの通信デバイスとの通信を確立又は受信することができる。
【００４９】
半二重端末ＴＥがセル１５1に位置するが基地局ＢＳ１のエリアＲ１に位置していないとき、端末ＴＥはセル１５1においてセル１５1のアイドル期間に適合していない特性を有するので、基地局ＢＳ１は半二重端末ＴＥをハンドリングすることができない。
【００５０】
エリアＲ１はセル１５1に含まれる。Ｒ１と１５1との相違は、セル１５1について設定せれたアイドル期間によって画定される。
【００５１】
長いアイドル期間によって、基地局ＢＳ１はいずれの半二重端末ＴＥもハンドリングすることが可能になるが、基地局Ｒ１と半二重端末ＴＥとの間で転送されるデータの点から、全体の容量は削減される。Ｒ１は、セル１５1に位置する大部分の半二重端末ＴＥに対して基地局ＢＳ１によってハンドリングされる可能性を提供するように画定される。Ｒ１は、基地局ＢＳ１から遠い少数の半二重端末ＴＥのためにのみアイドル期間を長くしなければならないことを回避するように画定される。
【００５２】
基地局ＢＳ２のセル１５2は、基地局ＢＳ２の測定チャネルで転送される信号のような信号の電力強度が、セル１５2に位置する端末ＴＥによって所定の値よりも上のレベルで受信されるエリアである。全二重端末ＴＥが基地局ＢＳ２のセル１５2に位置しているとき、基地局ＢＳ２は全二重端末ＴＥをハンドリングすることができる。全二重端末ＴＥは、基地局ＢＳ２を通じてリモートの通信デバイスとの通信を確立又は受信することができる。
【００５３】
基地局ＢＳ２のエリアＲ２は、Ｒ２に位置する各端末ＴＥについて、基地局ＢＳ２とその端末ＴＥとの間のラウンドトリップ遅延、並びに、受信モードと送信モードとの間の切り換え及び／又は送信モードと受信モードとの間の切り換えの合計が、セル１５2のアイドル期間以下であるエリアである。
【００５４】
換言すれば、半二重又は全二重の端末ＴＥが基地局ＢＳ２のエリアＲ２に位置するとき、基地局ＢＳ２は端末ＴＥをハンドリングすることができ、端末ＴＥは基地局ＢＳ２を通じてリモートの通信デバイスとの通信を確立又は受信することができる。
【００５５】
半二重端末ＴＥがセル１５2に位置するが基地局ＢＳ２のエリアＲ２に位置していないとき、端末ＴＥはセル１５2においてセル１５2のアイドル期間に適合していない特性を有するので、基地局ＢＳ２は半二重端末ＴＥをハンドリングすることができない。
【００５６】
エリアＲ２はセル１５2に含まれる。Ｒ２と１５2との相違は、セル１５2について設定されたアイドル期間によって画定される。
【００５７】
ここで、セル１５1及び１５2についてそれぞれ設定されたアイドル期間は、等しくてもよく、異なっていてもよいことに留意されたい。
【００５８】
本発明によれば、基地局ＢＳは、ダウンリンク信号メッセージを端末ＴＥへ転送する手段と、メッセージを受信する手段とを備える。
【００５９】
基地局ＢＳは、ノード、或いはノードＢ、或いは拡張ノードＢ、或いはアクセスポイントとも呼ばれる。
【００６０】
端末ＴＥは、移動電話、携帯情報端末、或いはパーソナルコンピュータのような半二重端末である。端末ＴＥはユーザ機器とも呼ばれる。
【００６１】
無線通信ネットワークはセル同期（cell-synchronized）されているものとすることができる。この場合、異なるセル１５又は基地局ＢＳを発信源とする信号は、同時に送信される。
【００６２】
より正確には、これらの信号はフレームに構造化され、フレーム自体はシンボルから成る。セル同期は、シンボルレベルで確保される場合がある。これは、所与のセル１５又は基地局ＢＳにおけるシンボルの送信時刻が、他の任意のセル１５又は基地局ＢＳにおけるシンボルの送信時刻と一致することを意味する。また、セル同期は、フレームレベルで確保される場合もある。その場合、所与のセル１５又は基地局ＢＳにおけるフレームの送信時刻は、他の任意のセル１５又は基地局ＢＳにおけるフレームの送信時刻と一致する。セル同期は、各基地局ＢＳにＧＮＳＳ（全地球的航法衛星システム）を含めることによって行うことができる。
【００６３】
代替形態として、無線通信ネットワークは、セル同期されていないものとすることができる。この場合、異なるセル１５間又は異なる基地局ＢＳ間で、フレームレベルの同期もシンボルレベルの同期も保証する必要はない。
【００６４】
図２ａは、アップリンクチャネルが同期し、基地局及び半二重端末がセルのアイドル期間中に信号の転送及び受信を行わない場合のアイドル期間を示すクロノグラムである。
【００６５】
アップリンクチャネルが同期しているとき、基地局ＢＳの所与のセル１５のアップリンクチャネルで送信されるシンボルは、基地局ＢＳと端末ＴＥとを隔てる距離にかかわらず基地局ＢＳによって同じ時刻ｔｒで受信されなければならない。信号が基地局及び半二重端末側の双方によってアイドル期間中に受信も転送もされないとき、基地局ＢＳは、端末ＴＥによって送信されたシンボルの処理を行うために、それらのシンボルの受信を待たなければならない。
【００６６】
エリアＲ１又はＲ２の境界に位置する端末ＴＥについて求められる待ち時間、換言すれば、求めることができる最大待ち時間は、ガード期間又はアイドル期間ＩＰと呼ばれる。これは、少なくともラウンドトリップ遅延ＲＴＤ（Ｒａ）に受信送信切り換え時間ＲＴＳを加えたものに等しくなければならない。ここで、ＲａはエリアＲ１又はＲ２が円とみなされる場合のエリアＲ１又はＲ２の半径である。
【００６７】
基地局ＢＳ１は、ダウンリンクシンボルＤＬを端末ＴＥへ転送する。これらのダウンリンクシンボルＤＬは、ラウンドトリップ遅延ＲＴＤの２分の１に等しい遅延で端末ＴＥによって受信される。
【００６８】
アイドル期間ＩＰの期間中、基地局ＢＳはいずれのシンボルの転送も受信も行わない。いずれのシンボルの転送も受信も行わないことによって、基地局の電力消費が削減される。
【００６９】
基地局ＢＳとそのセル１５に含まれる各端末ＴＥとを隔てる距離にかかわらず、アップリンクシンボルを基地局ＢＳが同時に受信する必要があるので、基地局ＢＳは、端末ＴＥのそれぞれについてタイミング遅延ＴＤ（ｄ）を求める。
【００７０】
このタイミング遅延は、以下の式を使用して計算される。
ＴＤ（ｄ）＝ｔｒ−ｔｅ−ＤDL−ＲＴＤ（ｄ）＝ＩＰ−ＲＴＤ（ｄ）
ここで、ｄは端末ＴＥと基地局ＢＳとの間の距離であり、ＤDLは端末ＴＥがダウンリンクチャネルで受信することができるシンボルの全継続時間である。
【００７１】
基地局ＢＳは、各タイミング遅延から、各端末ＴＥについてタイミングアドバンスＴＡ＝ＩＰ−ＴＤ（ｄ）を求め、このタイミングアドバンスを対応する端末ＴＥへ転送する。
【００７２】
端末ＴＥ１がその端末ＴＥのデータを含む先行のダウンリンクタイムスロットの直後のアップリンクタイムスロットにスケジューリングされている場合、端末ＴＥは、アップリンクチャネルを介するシンボルの送信に自身のタイミングアドバンスＴＡ（ＴＥ）値を適用して、端末ＴＥから送信されたシンボルがアップリンクタイムスロットｔｒの開始時に基地局ＢＳで受信されるようにする。
【００７３】
ここで、アイドル期間ＩＰは不連続であることに留意されたい。アイドル期間ＩＰは、端末ＴＥについて、１／２ＲＴＤで示される２つの時間期間及び時間期間ＴＤ（ＴＥ）から成る。
【００７４】
図２ｂは、アップリンクチャネルが同期し、半二重端末がセルのアイドル期間中に信号の転送及び受信を行わない場合のアイドル期間を示すクロノグラムである。
【００７５】
図２ｂの例のアイドル期間中、端末ＴＥのみが信号の受信も転送も行わない。
【００７６】
基地局ＢＳは、アイドル期間を何ら考慮することなくダウンリンクチャネルＤＬTでシンボルを転送する。基地局ＢＳは、各端末ＴＥを潜在的に全二重端末ＴＥであるとみなす。基地局ＢＳは、たとえシンボルが半二重端末によって使用できない場合であっても、シンボルを転送することがある。使用できないシンボルを転送することによって、全二重端末ＴＥ及び半二重端末ＴＥをハンドリングすることができる基地局ＢＳの特定の特徴を製造するための開発コストが削減される。
【００７７】
半二重端末ＴＥ、例として端末ＴＥがダウンリンクチャネルＤＬTでシンボルを受信すると、端末ＴＥは受信シンボルに対して或るパンクチャリングを実行する。端末ＴＥは、セル１５のアイドル期間に適合するダウンリンクシンボル、すなわち、端末ＴＥがダウンリンクチャネルで受信することができるシンボルの継続時間ＤDLに含まれるダウンリンクシンボルのみをＤＬRで受信する。
【００７８】
端末ＴＥのタイミングアドバンスＴＡ（ＴＥ）及びタイミング遅延ＴＤ（ＴＥ）は、図２ａで開示したのと同様の方法で求められる。
【００７９】
ここで、アイドル期間ＩＰは、基地局ＢＳでは連続であるのに対して、半二重端末ＴＥでは不連続であることに留意されたい。アイドル期間ＩＰは、端末ＴＥについて、１／２ＲＴＤで示される２つの時間期間及び時間期間ＴＤ（ＴＥ）から成る。
【００８０】
ＤDLに含まれない信号Ｐｕｎｃは処理されない。
【００８１】
図３は、アップリンクチャネルが非同期であり、無線通信ネットワークが時分割複信方式を使用し、セルに位置する半二重端末及び基地局がアイドル期間中に信号の転送及び受信を行わない場合のアイドル期間を示すクロノグラムである。
【００８２】
アップリンクチャネルが非同期であるとき、すなわち、異なる端末ＴＥからアップリンクチャネルで送信されたシンボルが同時に受信される必要がないとき、各端末ＴＥａ又はＴＥｂは、基地局ＢＳによってダウンリンクチャネルで送信された信号の受信終了後、同じ所定の継続時間の後にアップリンクチャネルを介してアップリンクシンボルＵＬａ又はＵＬｂを送信する。したがって、アイドル期間は、セル１５の異なる端末の異なる伝播距離を吸収するために、基地局ＢＳにおいて作成される。
【００８３】
端末ＴＥａは端末ＴＥｂよりも基地局ＢＳに近い。端末ＴＥａは、端末ＴＥｂのラウンドトリップ遅延ＲＴＤ（ｂ）の２分の１よりも小さいラウンドトリップ遅延ＲＴＤ（ａ）の２分の１の後に、ダウンリンクシンボルＤＬを受信する。
【００８４】
端末ＴＥａがシンボルを転送する場合、これらのシンボルは、図３に示すように、端末ＴＥｂによって転送されたシンボルよりも早く基地局ＢＳによって受信される。
【００８５】
図４は、本発明による基地局のアーキテクチャを表す図である。
【００８６】
基地局ＢＳ、例として基地局ＢＳ１は、たとえば、バス４０１によって互いに接続されているコンポーネントと、図６及び図７に開示するようなアルゴリズムに関連するプログラムによって制御されるプロセッサ４００とに基づくアーキテクチャを有する。
【００８７】
ここで、基地局ＢＳ１は、一変形では、以下で開示するようなプロセッサ４００によって実行されるオペレーションと同じオペレーションを実行する１つ又はいくつかの専用集積回路の形態で実施されることに留意されたい。
【００８８】
バス４０１は、プロセッサ４００を、読み出し専用メモリＲＯＭ４０２、ランダムアクセスメモリＲＡＭ４０３、チャネルインタフェース４０５、及びネットワークインタフェース４０６に接続する。
【００８９】
読み出し専用メモリＲＯＭ４０２は、図６及び図７に開示するようなアルゴリズムに関連するプログラムの命令を含む。これらの命令は、基地局ＢＳに電源が投入されるときにランダムアクセスメモリＲＡＭ４０３へ転送される。
【００９０】
ＲＡＭメモリ４０３は、変数を収容するように意図されるレジスタと、図６及び図７に開示するようなアルゴリズムに関連するプログラムの命令とを含む。
【００９１】
チャネルインタフェース４０５は、アンテナＢＳＡｎｔを通じて端末ＴＥへ信号及び／若しくはメッセージを転送し且つ／又は端末ＴＥから信号及び／若しくはメッセージを受信する手段を備える。
【００９２】
ネットワークインタフェース４０６は、無線セルラー通信ネットワークの他の基地局ＢＳへメッセージを転送し且つ／又は他の基地局ＢＳからメッセージを受信する手段を備える。
【００９３】
図５は、本発明による無線通信システムの半二重端末のアーキテクチャを表す図である。
【００９４】
端末ＴＥは、たとえば、バス５０１によって互いに接続されるコンポーネントと、図８及び図９に開示するようなアルゴリズムに関連するプログラムによって制御されるプロセッサ５００とに基づくアーキテクチャを有する。
【００９５】
ここで、端末ＴＥは、一変形では、以下で開示するようなプロセッサ５００によって実行されるオペレーションと同じオペレーションを実行する、１つ又はいくつかの専用集積回路の形態で実施されることに留意されたい。
【００９６】
バス５０１は、プロセッサ５００を、読み出し専用メモリＲＯＭ５０２、ランダムアクセスメモリＲＡＭ５０３、及びチャネルインタフェース５０５に接続する。
【００９７】
読み出し専用メモリＲＯＭ５０２は、図８及び図９に開示するようなアルゴリズムに関連するプログラムの命令を含む。これらの命令は、端末ＴＥに電源が投入されるときにランダムアクセスメモリＲＡＭ５０３へ転送される。
【００９８】
ＲＡＭメモリ５０３は、変数を収容するように意図されるレジスタと、図８及び図９に開示するようなアルゴリズムに関連するプログラムの命令とを含む。
【００９９】
チャネルインタフェース５０５は、アンテナＴＥＡｎｔを通じて基地局ＢＳへ信号及び／若しくはメッセージを転送し且つ／又は基地局ＢＳから信号及び／若しくはメッセージを受信する手段と、受信された信号、例として測定チャネルで転送された信号、を測定する手段とを備える。
【０１００】
図６は、本発明による、基地局が半二重端末をハンドリングすることができるか否かを判断するために基地局によって実行されるアルゴリズムの一例である。
【０１０１】
より正確には、本アルゴリズムは、各基地局ＢＳのプロセッサ４００によって、周期的に又は所定のイベントに応じて実行される。
【０１０２】
ステップＳ６００において、例として基地局ＢＳ１のプロセッサ４００は、候補基地局ＢＳのリストを、基地局ＢＳ１によってハンドリングされている端末ＴＥへ転送するように命令する。
【０１０３】
例として、候補基地局ＢＳのリストは、基地局Ｂ１を取り囲む基地局ＢＳの識別子を含む。
【０１０４】
次のステップＳ６０１において、プロセッサ４００は、基地局ＢＳ１によってハンドリングされている端末ＴＥのリストを、候補基地局ＢＳのリストにおいて識別される各基地局へ転送するように命令する。
【０１０５】
ステップＳ６０２において、プロセッサ４００は、基地局ＢＳによってハンドリングされている端末ＴＥのリストを、ネットワークインタフェース４０６から受信するように命令する。ここで、基地局ＢＳは、自身がハンドリングしている端末ＴＥへ転送する候補基地局ＢＳのリストにおいて基地局ＢＳ１を識別する基地局である。
【０１０６】
ステップＳ６０３において、プロセッサ４００は、チャネルインタフェース４０５を通じてダウンリンク信号を転送するように命令する。ダウンリンク信号は、測定チャネルで転送される信号であるか、又は、宛先端末ＴＥが関与する通信に関連する従来の信号である。
【０１０７】
次のステップＳ６０４において、プロセッサ４００は、時間期間Ｄ１の間待機する。Ｄ１は、各端末ＴＥ及び基地局ＢＳ１によって知られている。
【０１０８】
次のステップＳ６０５において、プロセッサ４００は、第２の時間期間Ｄ２をアクティブにする。Ｄ２は少なくとも２Ｒ1／ｃに等しい。ｃは光速であり、Ｒ1は基地局ＢＳ１とＲ１の境界に位置する端末ＴＥとの間の最大距離である。
【０１０９】
次のステップＳ６０６において、プロセッサ４００は、ステップＳ６０３において転送された信号に応答して端末ＴＥによって転送されたアップリンク信号が、チャネルインタフェース４０５によって受信されたかチェックする。このアップリンク信号は、基地局ＢＳ１によってハンドリングされる要求ＲＡＣＨ１を表すメッセージであるか、又は、宛先端末ＴＥが関与する通信に関連する従来の信号である。
【０１１０】
ステップＳ６０３において転送された信号に応答して端末ＴＥによって転送されたＲＡＣＨで示す信号がチャネルインタフェース４０５によって受信された場合、プロセッサ４００はステップＳ６０７に移動する。受信されない場合、プロセッサ４００はステップＳ６０６に戻る。
【０１１１】
ステップＳ６０７において、プロセッサ４００は、時間期間Ｄ２が経過したかチェックする。
【０１１２】
時間期間Ｄ２が経過した場合、プロセッサ４００はステップＳ６０８に移動する。経過していない場合、プロセッサ４００はステップＳ６１０に移動する。
【０１１３】
信号が受信された際にＤ２が満了したかのチェックを行うことによって、プロセッサ４００は、受信された信号から、端末ＴＥのラウンドトリップ遅延が基地局ＢＳ１のセル１５1のアイドル期間よりも長くないかを判断する。
【０１１４】
ステップＳ６０８において、プロセッサ４００は、基地局ＢＳ１が端末ＴＥをハンドリングすることができないと判断する。
【０１１５】
ステップＳ６０９において、ステップＳ６０２において受信されたリストによって、プロセッサ４００は、基地局ＢＳ１が端末ＴＥをハンドリングすることができないことを通知するメッセージを、信号を転送した端末ＴＥを現在ハンドリングしている基地局ＢＳへ転送するように命令する。
【０１１６】
一変形では、プロセッサ４００は、基地局ＢＳ１が端末ＴＥをハンドリングすることができないことを通知するメッセージを、信号を転送した端末ＴＥへ転送するように命令する。
【０１１７】
転送されたメッセージは、基地局ＢＳ１が端末ＴＥをハンドリングすることができないことを通知する。
【０１１８】
その後、プロセッサ４００は、ステップＳ６１２に移動する。
【０１１９】
ステップＳ６１０において、セル１５1における端末ＴＥのラウンドトリップ遅延はアイドル期間に適合しているので、プロセッサ４００は、基地局ＢＳ１が端末ＴＥをハンドリングすることができると判断する。
【０１２０】
ステップＳ６１１において、ステップＳ６０２において受信されたリストによって、プロセッサ４００は、基地局ＢＳ１が端末ＴＥをハンドリングすることができることを通知するメッセージを、信号を転送した端末ＴＥを現在ハンドリングしている基地局ＢＳへ転送するように命令する。
【０１２１】
一変形では、プロセッサ４００は、基地局ＢＳ１が端末ＴＥをハンドリングすることができることを通知するメッセージを、信号を転送した端末ＴＥへ転送するように命令する。
【０１２２】
転送されたメッセージは、基地局ＢＳ１が端末ＴＥをハンドリングすることができることを通知する。
【０１２３】
その後、プロセッサ４００は、ステップＳ６１２に移動する。
【０１２４】
ステップＳ６１２において、プロセッサ４００は、ステップＳ６０６〜Ｓ６１１において開示した手順を停止する時であるかチェックする。例として、Ｄ２をアクティブにしてからＤ２の２倍の時間遅延が満了すると、それ以上ＲＡＣＨ信号を端末ＴＥから受信することはないであろう。その結果、この時がステップＳ６０６〜Ｓ６１１において開示した手順を停止する時となる。
【０１２５】
ステップＳ６０６〜Ｓ６１１において開示した手順を停止する時である場合、プロセッサ４００は本アルゴリズムを中断する。その後、たとえば所定の遅延の後、プロセッサ４００は本アルゴリズムを再び実行する。
【０１２６】
ステップＳ６０６〜Ｓ６１１において開示した手順を停止する時でない場合、プロセッサ４００は、別の端末ＴＥがステップＳ６０３において転送されたダウンリンク信号に応答してＲＡＣＨメッセージを転送する場合に備えて、ステップＳ６０６に戻る。
【０１２７】
図７は、本発明による、端末についてハンドオーバを実行しなければならないかを判断するために基地局によって実行されるアルゴリズムの一例である。
【０１２８】
より正確には、本アルゴリズムは、各基地局ＢＳのプロセッサ４００によって、周期的に、又は、図６のアルゴリズムの実行と並行して特定のイベント時に実行される。
【０１２９】
ステップＳ７００において、例として基地局ＢＳ１のプロセッサ４００は、基地局ＢＳ１がハンドリングする各端末ＴＥについて、到達不能な基地局のリストをリセットする。到達不能な基地局ＢＳは、或る端末ＴＥについて、基地局ＢＳのセル１５のアイドル期間がそのセル１５における端末ＴＥのラウンドトリップ遅延よりも短い基地局ＢＳである。
【０１３０】
プロセッサ４００は、到達不能な基地局のリストを空にすることによってリセットする。
【０１３１】
次のステップＳ７０１において、プロセッサ４００は、基地局ＢＳが現在ハンドリングしている端末ＴＥを別の基地局がハンドリングすることができるか否かを示すメッセージが受信されたかチェックする。
【０１３２】
基地局ＢＳ１が現在ハンドリングしている端末ＴＥを別の基地局がハンドリングすることができることをメッセージが示している場合、プロセッサ４００はステップＳ７０２に移動する。そうでない場合、プロセッサ４００はステップＳ７０４に移動する。
【０１３３】
このメッセージは、或る基地局ＢＳからネットワークインタフェースを通じて受信される。別の基地局ＢＳから受信されたメッセージは、例として、図６のステップＳ６０９又はＳ６１１において開示されたメッセージである。
【０１３４】
一変形では、メッセージは、或る端末ＴＥからチャネルインタフェース４０５を通じて受信される。
【０１３５】
ステップＳ７０２において、プロセッサ４００は、受信されたメッセージにおいて識別される端末ＴＥを、メッセージを転送した基地局ＢＳがハンドリングすることができないことをメッセージが通知しているかチェックする。
【０１３６】
受信されたメッセージにおいて識別される端末ＴＥを、メッセージを転送した基地局ＢＳがハンドリングすることができないことをメッセージが通知している場合、プロセッサはステップＳ７０３に移動する。受信されたメッセージにおいて識別される端末ＴＥを、メッセージを転送した基地局ＢＳがハンドリングすることができることをメッセージが通知している場合、プロセッサ４００はステップＳ７０１に戻る。
【０１３７】
ステップＳ７０３において、プロセッサ４００は、ステップＳ７０３において受信されたメッセージを送信した基地局ＢＳの識別子を到達不能な基地局ＢＳのリストに挿入することによって、受信されたメッセージにおいて識別される端末ＴＥの到達不能な基地局ＢＳのリストを更新する。
【０１３８】
その後、プロセッサ４００は、ステップＳ７０１に戻る。
【０１３９】
ステップＳ７０４において、プロセッサ４００は、基地局ＢＳ１によってハンドリングされている端末ＴＥによって転送された測定報告が、チャネルインタフェース４０５を通じて受信されたかチェックする。
【０１４０】
基地局ＢＳ１によってハンドリングされている端末ＴＥによって転送された測定報告が、チャネルインタフェース４０５を通じて受信された場合、プロセッサ４００はステップＳ７０５に移動する。そうでない場合、プロセッサ４００はステップＳ７０８に移動する。
【０１４１】
測定報告は、図６のステップＳ６００において転送された候補基地局ＢＳのリストにおいて識別される基地局ＢＳの少なくとも一部について、それら基地局ＢＳによって転送された信号に関する品質測定値を含む。
【０１４２】
ステップＳ７０５において、プロセッサ４００は、測定報告を送信した端末ＴＥについてハンドオーバを実行する必要があるかチェックする。
【０１４３】
基地局ＢＳ１によって転送された信号に関する品質測定値が、候補基地局ＢＳのリストにおいて識別される少なくとも１つの基地局ＢＳによって転送された信号に関する品質測定値よりも小さいとき、端末ＴＥについてハンドオーバを実行する必要がある。
【０１４４】
測定報告を送信した端末ＴＥについてハンドオーバを実行する必要がある場合、プロセッサ４００はステップＳ７０６に移動する。実行する必要がない場合、プロセッサ４００はステップＳ７０１に戻る。
【０１４５】
ステップＳ７０６において、プロセッサ４００は、基地局によって転送された信号に関する品質測定値よりも大きい品質測定値を有する基地局ＢＳ（複数の場合は各基地局ＢＳ）が、測定報告を送信した端末ＴＥの到達不能な基地局のリストにおいて識別されるかチェックする。
【０１４６】
基地局によって転送された信号に関する品質測定値よりも大きい品質測定値を有する基地局ＢＳ（複数の場合は各基地局ＢＳ）が、到達不能な基地局のリストにおいて識別される場合、プロセッサ４００はステップＳ７０１に戻り、ハンドオーバに進まない。
【０１４７】
基地局によって転送された信号に関する品質測定値よりも大きい品質測定値を有する或る基地局ＢＳが、到達不能な基地局のリストにおいて識別されない場合、プロセッサ４００は、その或る基地局ＢＳを端末ＴＥをハンドリングすべき基地局ＢＳとして選択し、ステップＳ７０７に移動する。
【０１４８】
ステップＳ７０７において、プロセッサ４００は、選択された基地局ＢＳとハンドオーバ手順を実行すべきことを端末ＴＥ及び選択された基地局ＢＳに通知するメッセージを転送するように命令する。その後、プロセッサ４００はステップＳ７０１に戻る。
【０１４９】
次のステップＳ７０８において、プロセッサ４００は、到達不能な基地局ＢＳのリストが所定の継続時間の間にリセットされたかチェックする。すなわち、到達不能な基地局ＢＳのリストを依然として有効とみなすことができるかチェックする。
【０１５０】
到達不能な基地局ＢＳのリストを依然として有効とみなすことができる場合、プロセッサ４００はステップＳ７０１に戻る。
【０１５１】
到達不能な基地局ＢＳのリストをもはや有効とみなすことができない場合、プロセッサ４００はステップＳ７００に戻る。
【０１５２】
図８は、本発明による、端末をハンドリングすることができない基地局ＢＳのリストを求めるために端末によって実行されるアルゴリズムの一例である。
【０１５３】
より正確には、本アルゴリズムは、各端末ＴＥのプロセッサ５００によって実行される。
【０１５４】
ステップＳ８００において、プロセッサ５００は、候補基地局ＢＳのリストがチャネルインタフェース５０５を通じて受信されたかチェックする。この候補基地局のリストは、端末ＴＥをハンドリングしている基地局ＢＳ１によって図６のステップＳ６００において転送されたものである。
【０１５５】
候補基地局ＢＳのリストが受信された場合、プロセッサ５００はステップＳ８０１に移動する。受信されない場合、プロセッサ５００はステップＳ８００に留まる。
【０１５６】
ステップＳ８０１において、プロセッサ５００は、候補基地局ＢＳのリストをＲＡＭメモリ５０３に記憶する。
【０１５７】
次のステップＳ８０２において、プロセッサ５００は、図７のステップＳ７００において開示したのと同じ方法で、到達不能な基地局のリストをリセットする。
【０１５８】
次のステップＳ８０３において、プロセッサ５００は、候補基地局として識別される各基地局ＢＳによって転送されたダウンリンク信号に関するいくつかの品質測定を実行するようにチャネルインタフェース５０５に命令する。これらのダウンリンク信号は、候補基地局によってそれぞれの測定チャネルで転送される。
【０１５９】
次のステップＳ８０４において、プロセッサ５００は、一時期間（temporisation）Ｔをリセットする。この一時期間Ｔは、半二重端末ＴＥが、ＲＡＣＨ手順の後、基地局から回答を受信するまでの間に待つことができる最大継続時間として定義される
【０１６０】
次のステップＳ８０５において、プロセッサ５００は、到達不能な基地局ＢＳのリストが、所定の継続時間の間にリセットされたかチェックする。すなわち、到達不能な基地局ＢＳのリストを依然として有効とみなすことができるかチェックする。
【０１６１】
到達不能な基地局ＢＳのリストをもはや有効とみなすことができない場合、プロセッサ５００はステップＳ８０６に進み、到達不能な基地局ＢＳのリストをリセットしてステップＳ８０５に戻る。
【０１６２】
到達不能な基地局ＢＳのリストを依然として有効とみなすことができる場合、プロセッサ５００はステップＳ８０７に進む。
【０１６３】
リストの有効性は、端末ＴＥの移動、端末ＴＥのロケーション情報、端末ＴＥの環境等に従って変化しうる。
【０１６４】
到達不能な基地局ＢＳのリストにおける或る特定の基地局ＢＳの存在がもはや正当化されない場合には、リストの有効性が失効する際に到達不能な基地局ＢＳのリスト全体をリセットする代わりに、基地局ＢＳ単位で到達不能な基地局ＢＳのリストをリセットすることができることに留意されたい。
【０１６５】
ステップＳ８０７において、プロセッサ５００は、ダウンリンク信号が、到達不能な基地局ＢＳのリストにない基地局ＢＳから転送されたものであるかチェックする。
【０１６６】
ダウンリンク信号が、到達不能な基地局ＢＳのリストにある基地局ＢＳから転送されたものである場合、プロセッサ５００はステップＳ８０３に戻る。
【０１６７】
ダウンリンク信号が、到達不能な基地局ＢＳのリストにない基地局ＢＳから転送されたものである場合、プロセッサ５００はステップＳ８０８に進む。
【０１６８】
次のステップＳ８０８において、プロセッサ５００は、ダウンリンク信号を送信した基地局ＢＳであって、且つ候補基地局ＢＳのリストにおいて識別される基地局ＢＳに向かってランダムアクセス手順を開始する。このランダムアクセス手順は、例として各識別された基地局の競合ベースのチャネルを通じて又は端末ＴＥとの通信に専用化された予約チャネルを通じて、信号ＲＡＣＨを転送することによって開始される。競合ベースのチャネルは、予約メカニズムを有することなくいずれの端末ＴＥにもアクセス可能なチャネルである。
【０１６９】
次のステップＳ８０９において、プロセッサ５００は、或る基地局ＢＳからチャネルインタフェース５０５を通じてメッセージが受信されたかチェックする。
【０１７０】
メッセージが基地局ＢＳから受信された場合、プロセッサ５００はステップＳ８１０に移動する。受信されない場合、プロセッサ５００はステップＳ８１１に移動する。
【０１７１】
基地局ＢＳから受信されたメッセージは、図６のステップＳ６０９又はＳ６１１において開示したものと同様である。
【０１７２】
ステップＳ８１０において、プロセッサ５００は、メッセージを転送した基地局ＢＳが端末ＴＥをハンドリングすることができないことをメッセージが通知しているかチェックする。
メッセージを転送した基地局ＢＳが端末ＴＥをハンドリングすることができないことをメッセージが通知している場合、プロセッサ５００はステップＳ８１２に移動する。
メッセージを転送した基地局ＢＳが、受信されたメッセージで識別された端末ＴＥをハンドリングすることができることをメッセージが通知している場合、プロセッサ５００はステップＳ８２０に移動する。
【０１７３】
ステップＳ８１１において、プロセッサ５００は、ステップＳ８０４において定義された一時期間Ｔが満了しているか否かをチェックする。
【０１７４】
一時期間Ｔが満了している場合、プロセッサ５００はこの満了を基地局ＢＳからの拒否と解釈してＳ８１２に移動する。
【０１７５】
一時期間Ｔが満了していない場合、プロセッサ５００はステップＳ８０９に戻る。
【０１７６】
ステップＳ８１２において、プロセッサ５００は、ステップＳ８０３において受信されたダウンリンク信号を転送した基地局ＢＳの識別子を到達不能な基地局ＢＳのリストに挿入することによって、端末ＴＥの到達不能な基地局ＢＳのリストを更新する。
【０１７７】
その後、プロセッサ５００は、ステップＳ８２０に移動する。
【０１７８】
ステップＳ８２０において、プロセッサ５００は、第１の基地局へメッセージを転送するように命令する。このメッセージは、第２の基地局のセルのアイドル期間が第２の基地局のセルにおける第１の半二重端末のラウンドトリップ遅延に適合しているか否か、換言すれば、第２の基地局ＢＳが端末ＴＥをハンドリングすることができるか否かを示す。
【０１７９】
ステップＳ８１３において、プロセッサ５００は、候補基地局ＢＳのリストがチャネルインタフェース５０５を通じて受信されたかチェックする。
【０１８０】
候補基地局ＢＳのリストがチャネルインタフェース５０５を通じて受信された場合、プロセッサ５００はステップＳ８０１に戻る。そうでない場合、プロセッサ５００はステップＳ８１４に移動する。
【０１８１】
ステップＳ８１４において、プロセッサ５００は、ダウンリンク信号がチャネルインタフェース５０５を通じて受信されているかチェックする。
【０１８２】
ダウンリンク信号が受信されている場合、プロセッサ５００はステップＳ８０３に戻る。そうでない場合、プロセッサ５００はステップＳ８１４に戻る。
【０１８３】
当然のことながら、本発明の範囲から逸脱することなく、上述した本発明の実施形態に多くの変更を行うことができる。
【図１】
0005203248.tif 000002
【図２ａ】
0005203248.tif 000003
【図２ｂ】
0005203248.tif 000004
【図３】
0005203248.tif 000005
【図４】
0005203248.tif 000006
【図５】
0005203248.tif 000007
【図６】
0005203248.tif 000008
【図７】
0005203248.tif 000009
【図８】
0005203248.tif 000010